(57)【要約】【課題】携帯端末からの送信情報に基づいて商品購入履歴に対して付加情報を付加して更新記憶することにより、ユーザの利便性を向上させた決済情報管理サーバ、決済情報管理システム及びアプリケーションプログラムを提供する。【解決手段】決済端末装置４によって商品決済を行った（Ｓ１）後に、その決済内容とユーザＩＤを決済情報管理サーバ５に対して送信し（Ｓ２）、一方、決済情報管理サーバ５は商品決済を行った携帯電話機３に対してＵＲＬデータが記録された電子メールを送信した後に（Ｓ１０４）、携帯電話機３からの応答に基づいて今回の商品決済の決済内容が表示されたサイトデータを送信し（Ｓ１０７）、携帯電話機３で入力されたメモ情報を商品購入履歴に対応付けて情報ＤＢ４４に記憶させる（Ｓ１０９）ように構成する。【選択図】図７
2007115186.tif 000002
【特許請求の範囲】
【請求項１】
携帯端末と通信回線網を通じて接続され、前記携帯端末との間で電子データを送受信する決済情報管理サーバであって、
携帯端末の内部に記憶された金銭情報に基づく商品決済に関する決済情報と前記商品決済を行ったユーザを識別するユーザ識別情報とを受信する受信手段と、
前記受信手段により受信した商品決済に関する決済情報とユーザ識別情報とに基づいてユーザ毎にユーザの商品購入履歴を累積記録する履歴記録手段と、
前記携帯端末からの送信情報に基づいて前記累積記録手段に累積記録された商品購入履歴に対して付加情報を付加して記録更新する情報付加手段と、を有することを特徴とする決済情報管理サーバ。
【請求項２】
携帯端末の内部に記憶された金銭情報に基づく商品決済が行われた後に、前記商品決済を行った携帯端末に対して行われた商品決済における商品購入履歴を送信する履歴送信手段を有し、
前記情報付加手段は、前記履歴送信手段の送信に対する前記携帯端末からの応答に基づいて前記累積記録手段の記録更新を行うことを特徴とする請求項１に記載の決済情報管理サーバ。
【請求項３】
金銭情報が記憶された携帯端末と、前記携帯端末の金銭情報を読み取ることにより商品決済を行う決済端末装置と、前記携帯端末及び前記決済端末装置と通信回線網を通じて接続され、前記携帯端末及び前記決済端末装置との間で電子データを送受信する決済情報管理サーバと、を有する決済情報管理システムであって、
前記決済情報管理サーバは、
前記決済端末装置から送信された携帯端末の内部に記憶された金銭情報に基づく商品決済に関する決済情報と前記商品決済を行ったユーザを識別するユーザ識別情報とを受信する受信手段と、
前記受信手段により受信した商品決済に関する決済情報とユーザ識別情報とに基づいてユーザ毎にユーザの商品購入履歴を累積記録する履歴記録手段と、
前記携帯端末からの送信情報に基づいて前記累積記録手段に累積記録された商品購入履歴に対して付加情報を付加して記録更新する情報付加手段と、
を有し、
前記携帯端末は、
金銭情報を記憶する金銭情報記憶手段と、
情報入力手段と、
前記情報入力手段によって入力された付加情報を前記決済情報管理サーバに送信する付加情報送信手段と、
を有することを特徴とする決済情報管理システム。
【請求項４】
前記決済情報管理サーバは、
携帯端末の内部に記憶された金銭情報に基づく商品決済が行われた後に、前記商品決済を行った携帯端末に対して行われた商取引に関する商品購入履歴を送信する履歴送信手段を有し、
前記付加情報送信手段は前記履歴送信手段の送信に基づく前記携帯端末の応答において前記情報入力手段によって入力された付加情報を送信することを特徴とする請求項３に記載の決済情報管理システム。
【請求項５】
前記付加情報は前記携帯端末の情報入力手段により入力された文字情報であることを特徴とする請求項３又は請求項４に記載の決済情報管理システム。
【請求項６】
携帯端末に搭載され、
携帯端末の内部に記憶された金銭情報に基づく商品決済が行われた後に決済情報管理サーバから送信される商品決済における商品購入履歴を受信する履歴受信機能と、
前記履歴受信機能によって受信した商品購入履歴に対応する付加情報の入力を行う情報入力機能と、
前記情報入力機能によって入力された付加情報を前記決済情報管理サーバに送信する付加情報送信機能と、
を実行させることを特徴とするアプリケーションプログラム。
【発明の詳細な説明】
【技術分野】
【０００１】
本発明は、携帯端末に記録された金銭情報に基づいて商品決済を行う際に、商品決済に係る商品購入履歴を累積記憶する決済情報管理サーバ、決済情報管理システム及びアプリケーションプログラムに関し、特に、携帯端末からの送信情報に基づいて商品購入履歴に対して付加情報を付加して更新記憶することにより、ユーザの利便性を向上させた決済情報管理サーバ、決済情報管理システム及びアプリケーションプログラムに関する。
【背景技術】
【０００２】
従来より現金の代用として、所定の電子データを個人情報とともにＩＣカード、クレジットカード、デビットカード、スーパーカード等に記憶させ、その電子データの交換によって支払いを行う電子決済システムが知られている。これにより、現金を持ち歩く必要なく、物品の購入や料金の支払いをすることも可能となるが、取引や決済などをするには、財布からＩＣカード等を取り出し、別の決済用端末装置にＩＣカード等を接触させる手数が必要となる。
その一方で、携帯電話機等の携帯端末は、単なる音声通話用の道具から、メッセージの送受信やインターネットのウェブブラウザなどの情報端末として用途が広がっている。そして、近年では携帯端末の普及率が非常に高く、ユーザは携帯端末を常に持ち歩いて外出することが一般である。そこで、携帯端末に電子決済の機能を持たせる事により、ＩＣカード等を持参せずに電子決済を行うようにすることが提案されていた（例えば、特開２０００−１７５２６８号公報）。
【０００３】
また、上記電子決済をした際には、その決済内容である商品購入履歴がカード会社のサーバにユーザ毎に累積記録されるように構成されている。そして、記録された商品購入履歴は、インターネット等によって閲覧可能としたり、所定期間毎（例えば１ヵ月毎）に商品購入履歴を記載した用紙をユーザに郵送することによって、その商品購入履歴をユーザに確認させることとしている。
【特許文献１】特開２０００−１７５２６８号公報（第３頁〜第５頁、図１〜図２）
【発明の開示】
【発明が解決しようとする課題】
【０００４】
しかしながら、前記した従来の電子マネーの決済方法では、携帯端末による決済内容がサーバに記録されているにもかかわらず、ユーザ側からは一切手を加えることができなかったので、記録された記録内容が十分に活用されていなかった。即ち、サーバに記憶された決済内容では決済日と決済された場所と金額のみが一般的に記録されるので、数多くの買い物をした場合には、ユーザはどのような用途でどのような商品を購入したのかを判別するのは困難となっていた。従って、領収書としての役割について十分に果たすことができなかった。
【０００５】
本発明は、前記従来の問題点を解消するためになされたものであり、携帯電話を用いて決済情報管理サーバに記録された決済内容についてユーザが文字等の付加情報を付加させることによって、それらの記録内容を有効利用することが可能となるとともに、ユーザの利便性を向上させた決済情報管理サーバ、決済情報管理システム及びアプリケーションプログラムを提供することを目的とする。
【課題を解決するための手段】
【０００６】
前記目的を達成するため請求項１に係る決済情報管理サーバは、携帯端末（例えば、携帯電話機３）と通信回線網を通じて接続され、前記携帯端末との間で電子データを送受信する決済情報管理サーバ（例えば、決済情報管理サーバ５）であって、携帯端末の内部に記憶された金銭情報に基づく商品決済に関する決済情報と前記商品決済を行ったユーザを識別するユーザ識別情報とを受信する受信手段（例えば、通信Ｉ／Ｆ４３）と、前記受信手段により受信した商品決済に関する決済情報とユーザ識別情報とに基づいてユーザ毎にユーザの商品購入履歴を累積記録する履歴記録手段（例えば、情報ＤＢ４４）と、前記携帯端末からの送信情報に基づいて前記累積記録手段に累積記録された商品購入履歴に対して付加情報を付加して記録更新する情報付加手段（例えば、ＣＰＵ４１、Ｓ１０９）と、を有することを特徴とする。
【０００７】
また、請求項２に係る決済情報管理サーバは、請求項１に記載の決済情報管理サーバ（例えば、決済情報管理サーバ５）において、携帯端末（例えば、携帯電話機３）の内部に記憶された金銭情報に基づく商品決済が行われた後に、前記商品決済を行った携帯端末に対して行われた商品決済における商品購入履歴を送信する履歴送信手段（例えば、通信Ｉ／Ｆ４３）を有し、前記情報付加手段（例えば、ＣＰＵ４１、Ｓ１０９）は、前記履歴送信手段の送信に対する前記携帯端末からの応答に基づいて前記累積記録手段（例えば、情報ＤＢ４４）の記録更新を行うことを特徴とする。
【０００８】
また、請求項３に係る決済情報管理システムは、金銭情報が記憶された携帯端末（例えば、携帯電話機３）と、前記携帯端末の金銭情報を読み取ることにより商品決済を行う決済端末装置（例えば、決済端末装置４）と、前記携帯端末及び前記決済端末装置と通信回線網を通じて接続され、前記携帯端末及び前記決済端末装置との間で電子データを送受信する決済情報管理サーバ（例えば、決済情報管理サーバ５）と、を有する決済情報管理システム（例えば、決済情報管理システム１）であって、前記決済情報管理サーバは、前記決済端末装置から送信された携帯端末の内部に記憶された金銭情報に基づく商品決済に関する決済情報と前記商品決済を行ったユーザを識別するユーザ識別情報とを受信する受信手段（例えば、通信Ｉ／Ｆ４３）と、前記受信手段により受信した商品決済に関する決済情報とユーザ識別情報とに基づいてユーザ毎にユーザの商品購入履歴を累積記録する履歴記録手段（例えば、情報ＤＢ４４）と、前記携帯端末からの送信情報に基づいて前記累積記録手段に累積記録された商品購入履歴に対して付加情報を付加して記録更新する情報付加手段（例えば、ＣＰＵ４１、Ｓ１０９）と、を有し、前記携帯端末は、金銭情報を記憶する金銭情報記憶手段（例えば、ＩＣチップ３０）と、情報入力手段（例えば、入力操作部２３）と、前記情報入力手段によって入力された付加情報を前記決済情報管理サーバに送信する付加情報送信手段（例えば、送受信回路部２５）と、を有することを特徴とする。
【０００９】
また、請求項４に係る決済情報管理システムは、請求項３に記載の決済情報管理システム（例えば、決済情報管理システム１）において、前記決済情報管理サーバ（例えば、決済情報管理サーバ５）は、携帯端末（例えば、携帯電話機３）の内部に記憶された金銭情報に基づく商品決済が行われた後に、前記商品決済を行った携帯端末に対して行われた商取引に関する商品購入履歴を送信する履歴送信手段（例えば、通信Ｉ／Ｆ４３）を有し、前記付加情報送信手段（例えば、通信Ｉ／Ｆ４３）は前記履歴送信手段の送信に基づく前記携帯端末の応答において前記情報入力手段（例えば、入力操作部２３）によって入力された付加情報を送信することを特徴とする。
【００１０】
また、請求項５に係る決済情報管理システムは、請求項３又は請求項４に記載の決済情報管理システム（例えば、決済情報管理システム１）において、前記付加情報は前記携帯端末（例えば、携帯電話機３）の情報入力手段（例えば、入力操作部２３）により入力された文字情報であることを特徴とする。
【００１１】
更に、請求項６に係るアプリケーションプログラムは、携帯端末（例えば、携帯電話機３）に搭載され、携帯端末の内部に記憶された金銭情報に基づく商品決済が行われた後に決済情報管理サーバ（例えば、決済情報管理サーバ５）から送信される商品決済における商品購入履歴を受信する履歴受信機能（例えば、ＣＰＵ２１、Ｓ２０３）と、前記履歴受信機能によって受信した商品購入履歴に対応する付加情報の入力を行う情報入力機能（例えば、ＣＰＵ２１、Ｓ２０５）と、前記情報入力機能によって入力された付加情報を前記決済情報管理サーバに送信する付加情報送信機能（例えば、ＣＰＵ２１、Ｓ２０６）と、を実行させることを特徴とする。
【発明の効果】
【００１２】
請求項１に係る決済情報管理サーバは、携帯端末の内部に記憶された金銭情報に基づく商品決済に関する決済情報と商品決済を行ったユーザを識別するユーザ識別情報とに基づいてユーザ毎にユーザの商品購入履歴を累積記録するとともに、携帯端末からの送信情報に基づいて累積記録された商品購入履歴に対して付加情報を付加して記録更新するので、累積記憶された商品購入履歴に対してユーザの意図に基づいた文字情報等の付加情報を追加して記録させることが可能となる。それによって、決済情報管理サーバに記録された記録内容をユーザが有効利用することを可能とし、ユーザの利便性を向上させる。
また、ユーザは決済に使用した携帯端末を操作することによって付加情報を付加するので、ユーザは商品決済を行った携帯端末を用いて容易に商品購入履歴に対応させた付加情報の追加が可能となる。
【００１３】
また、請求項２に係る決済情報管理サーバでは、携帯端末の内部に記憶された金銭情報に基づく商品決済が行われた後に、前記商品決済を行った携帯端末に対して行われた商品決済における商品購入履歴を送信するとともに、携帯端末からの応答に基づいて付加情報を付加して記録更新を行うので、ユーザは商品決済を行った直後に携帯端末を用いて容易に商品購入履歴に対応させた付加情報の追加が可能となる。
【００１４】
また、請求項３に係る決済情報管理システムでは、決済情報管理サーバは、決済端末装置から送信された携帯端末の内部に記憶された金銭情報に基づく商品決済に関する決済情報と商品決済を行ったユーザを識別するユーザ識別情報とに基づいてユーザ毎にユーザの商品購入履歴を累積記録し、携帯端末からの送信情報に基づいて前記累積記録手段に累積記録された商品購入履歴に対して付加情報を付加して記録更新するので、累積記憶された商品購入履歴に対してユーザの意図に基づいた文字情報等の付加情報を追加して記録させることが可能となる。それによって、決済情報管理サーバに記録された記録内容をユーザが有効利用することを可能とし、ユーザの利便性を向上させる。
また、ユーザは決済に使用した携帯端末を操作することによって付加情報を付加するので、ユーザは商品決済を行った携帯端末を用いて容易に商品購入履歴に対応させた付加情報の追加が可能となる。
【００１５】
また、請求項４に係る決済情報管理システムでは、携帯端末の内部に記憶された金銭情報に基づく商品決済が行われた後に、前記商品決済を行った携帯端末に対して行われた商品決済における商品購入履歴を送信するとともに、携帯端末の応答において付加情報を送信し、決済情報管理サーバは記録更新を行うので、ユーザは商品決済を行った直後に携帯端末を用いて容易に商品購入履歴に対応させた付加情報の追加が可能となる。
【００１６】
また、請求項５に係る決済情報管理システムでは、付加情報は携帯端末により入力された文字情報であるので、ユーザは商品決済を行った携帯端末を用いて容易に商品購入履歴に対応させた文字情報の追加が可能となる。従って、商品を購入した用途や理由などを随時記録させることが可能となり、商品購入履歴をユーザにとって理解しやすく且つ有益なデータへと更新することが可能となる。
【００１７】
更に、請求項６に係るアプリケーションプログラムでは、携帯端末の内部に記憶された金銭情報に基づく商品決済が行われた後に決済情報管理サーバから送信される商品決済における商品購入履歴を受信し、受信した商品購入履歴に対応する付加情報の入力を行うとともに、入力された付加情報を決済情報管理サーバに送信するので、ユーザは商品決済を行った直後に携帯端末を用いて容易に商品購入履歴に対応させた付加情報の追加が可能となる。それによって、決済情報管理サーバに記録された記録内容をユーザが有効利用することを可能とし、ユーザの利便性を向上させる。
【発明を実施するための最良の形態】
【００１８】
以下、本発明に係る決済情報管理システムについて具体化した実施形態に基づき図面を参照しつつ詳細に説明する。先ず、本実施形態に係る決済情報管理システムの概略構成について図１に基づき説明する。図１は本実施形態に係る決済情報管理システムの概略構成を示す図である。
【００１９】
図１に示すように、本実施形態に係る決済情報管理システム１は、金銭情報やユーザを特定するユーザＩＤが記憶されるＩＣタグ２が内蔵された携帯電話機３と、コンビニ等の店舗内に配設され、携帯電話機３に内蔵されたＩＣタグ２の金銭情報（電子マネー）やユーザＩＤを読み取ることにより商品の決済（取引）を行う決済端末装置４と、決済情報管理サーバ５を備え、決済端末装置４による商品の決済内容を管理する情報管理センタ６と、から基本的に構成されている。
【００２０】
そして、携帯電話機３と決済情報管理サーバ５、及び決済端末装置４と決済情報管理サーバ５とは互いに電子データを送受信可能に構成されている。特に、携帯電話機３と決済情報管理サーバ５に関しては、決済情報管理サーバ５が接続されたパケット網／ＰＤＣ（Ｐｅｒｓｏｎａｌ  Ｄｉｇｉｔａｌ  Ｃｅｌｌｕｌａｒ）網１０に対して、基地局１１を介して携帯電話機３が接続されることにより構成される。そして、携帯電話機３はパケット網／ＰＤＣ網１０を介して互いに音声データや文字データの授受を例えばＴＤＭＡ（Ｔｉｍｅ  Ｄｉｖｉｓｉｏｎ  Ｍｕｌｔｉｐｌｅ  Ａｃｃｅｓｓ）と呼ばれる時分割多重接続方式で行うことができる。
【００２１】
従って、これらの携帯電話機３は、互いに音声データや文字データ等の授受を行うことに加えて、パケット網／ＰＤＣ網１０を介してパケット通信によって情報管理センタ６の決済情報管理サーバ５にアクセスすることができる。そして、決済情報管理サーバ５は、携帯電話機３からの要求に応じて情報ＤＢ４４（図４参照）から種々の情報を取得し、これを要求元の携帯電話機３に送信する。これにより、携帯電話機３を所持するユーザは、外出先等、その居場所に拘わらず、所望の情報を決済情報管理サーバ５から取得することができる。
また、携帯電話機３から送信された情報に基づいて決済情報管理サーバ５の情報ＤＢ４４を更新することも可能となる。
【００２２】
次に、決済情報管理システム１を構成する携帯電話機３の構成について図２を用いて詳細に説明する。図２はユーザが所持する携帯電話機３の構成を示すブロック図である。
図２に示されるように、携帯電話機３は、データバスＢＵＳにＣＰＵ２１、メモリ２２、基地局１１との間で信号の送受信を行う送受信回路部（ＲＦ）２５、送受信回路部２５において受信したＲＦ（Ｒａｄｉｏ  Ｆｒｅｑｕｅｎｃｙ）信号をベースバンド信号に変換するとともにベースバンド信号をＲＦ信号に変換するベースバンド処理部２６、マイクロホン２８及びスピーカ２９とのインターフェイスである入出力部２７、液晶表示パネル等で構成された表示部２４及びキーボードやジョグダイヤル等でなる入力操作部２３、金銭情報（電子マネー）やユーザＩＤが記憶されるＩＣチップ３０が接続されることにより構成されている。
【００２３】
ＣＰＵ２１は、メモリ２２に格納されているアプリケーションプログラム（図７参照）に従って種々の動作を実行する制御手段であり、当該動作に応じて各回路部を制御する。また、ＣＰＵ２１の各種処理内容は必要に応じて表示部２４に表示される。
【００２４】
入力操作部２３は、番号／文字入力キー、表示された内容を選択するためのカーソルを動かすカーソルキー、選択を確定する決定キー等の各種キーによって構成されている。そして、ユーザが所望の通話先の電話番号を番号／文字入力キーで入力すると、当該電話番号を示すデータをＣＰＵ２１に供給する。その後、ＣＰＵ２１はユーザが入力した電話番号で表される通話先に対して、送受信回路部２５を介して接続要求を送信する。このときパケット網／ＰＤＣ網１０は通話先の応答に応じて回線を接続する。回線が接続されると、送受信回路部２５は、アンテナを介して受信した通話先からのＲＦ信号をベースバンド処理部２６に供給し、ここでＲＦ信号をベースバンド信号に変換する。ベースバンド処理部２６は変換されたベースバンド信号を入出力部２７に供給することにより、受信された通話先からの音声信号をスピーカ２９から音声として出力する。
【００２５】
表示部２４は、筐体の一面に配設されており、液晶ディスプレイや有機ＥＬディスプレイ等が用いられる。そして、入力操作部２３による入力内容やインターネットサイト等の各種情報が表示される。
更に、本実施形態に係る携帯電話機３では、後述のようにユーザが決済端末装置４により決済した商品購入履歴の一覧、及び商品購入履歴に対してユーザがメモデータを付加する為のメモ情報入力画面等が表示される（図９、図１０参照）。
【００２６】
また、マイクロホン２８は、携帯電話機３で通話した際にユーザが発生した音声を音声信号に変換する変換機であり、スピーカ２９は、携帯電話機３で通話した際に相手側の音声信号を発音するスピーカである。ユーザがマイクロホン２８を介して音声を入力すると、入出力部２７はマイクロホン２８から供給される入力音声信号をベースバンド処理部２６に供給し、ここでベースバンド信号をＲＦ信号に変換する。そして、ベースバンド処理部２６は当該変換されてなるＲＦ信号を、送受信回路部２５を介してパケット網／ＰＤＣ網１０に送信することにより、当該ＲＦ信号を、パケット網／ＰＤＣ網１０に回線接続された通話先に対して送信する。それによって、携帯電話機３を使用するユーザは、通話先である他のユーザとの間で携帯電話機を介した会話を行うことができる。
【００２７】
また、ＣＰＵ２１は、ユーザが入力操作部２３を操作することにより入力される種々の情報（文字情報や特定の選択情報等）をパケットデータに変換した後、これをベースバンド処理部２６及び送受信回路部２５を介してパケット網／ＰＤＣ網１０に送信する。更に、パケット網／ＰＤＣ網１０は、このパケットデータを決済情報管理サーバ５に送信する。それによって、決済情報管理サーバ５は携帯電話機３からの要求に応じたＤＢの更新や携帯電話機３に対する情報の送信を行うことが可能となる。
また、ＣＰＵ２１は、情報管理センタ６からパケット網／ＰＤＣ網１０を介して送信されるパケットデータ化された情報が重畳されたＲＦ信号を、送受信回路部２５及びベースバンド処理部２６を介して取り込み、パケット化されたデータをつなぎ合わせて元のデータ形式に戻した後、これを表示部２４に表示する。また、メモリ２２に記憶させる後述のアプリケーションプログラム（図７参照）についても決済情報管理サーバ５からパケットデータ化されてダウンロードされる。
【００２８】
また、ＩＣチップ３０はＩＣタグ２に内蔵され、所謂Ｅｄｙ（登録商標）と呼ばれる電子マネーに関する情報を記録する記録手段であり、高い情報記憶能力とセキュリティ能力を有する。そして、ＩＣタグ２に同じく内蔵されたアンテナによって、表面上にＩＣチップ３０を露出させることなく、携帯電話機３と決済端末装置４との間で無線通信することが可能に構成されている。
【００２９】
また、ＩＣチップ３０には金銭情報３０ＡとユーザＩＤ３０Ｂとが記憶されており、金銭情報３０Ａは現時点でＩＣチップ３０に対して入金（チャージ）されている電子マネーの金額を特定する情報であり、店舗内に設置された所定の端末や自宅のパーソナルコンピュータにより更新（入金）することが可能となっている。
一方、ユーザＩＤ３０Ｂは、携帯電話機３を使用するユーザを特定する為の数字の組合せに関する情報であり、決済端末装置４で商品決済が行われるとユーザＩＤ３０Ｂが読み取られ、決済情報管理サーバ５に対して送信される。ここで、決済情報管理サーバ５のＤＢには各ユーザの個人情報（氏名、住所、携帯電話番号、メールアドレス等）に対応付けてユーザＩＤが格納されており（図５参照）、決済情報管理サーバ５は商品決済を行った携帯電話機３やユーザの個人情報の特定が可能となる。
【００３０】
以上より、携帯電話機３を使用するユーザは、接続先である情報管理センタ６との間で種々の情報の授受を行うことができる。そして、情報管理センタ６は、携帯電話機３からの要求に応じて決済情報管理サーバ５の情報ＤＢ４４から種々の情報（例えば、決済端末装置４により決済したユーザの商品購入履歴が記録されたサイトデータ）を抽出し、要求のあった携帯電話機３に対して送信する。一方、当該情報を受け取った携帯電話機３は、決済情報管理サーバ５から送信された提供情報をメモリ２２に格納した後、これを表示部２４に表示する。その結果、各携帯電話機３を使用するユーザは、各携帯電話機３の表示部２４に表示された提供情報（画像、文字情報等）を見ながら、入力操作部２３を操作することにより、このとき提供情報の一部として表示部２４に表示された文字による選択枝を選ぶ等の所作によって、決済情報管理サーバ５からさらに希望する情報を入手することができる。また、表示部２４に表示された情報に対して更に入力操作部２３を用いて情報（文字情報等）を入力し、その内容を決済情報管理サーバ５に対して送信することによって決済情報管理サーバ５のＤＢの更新が可能となる。
【００３１】
次に、決済情報管理システム１を構成する決済端末装置４の構成について図３を用いて詳細に説明する。図３はコンビニ等の各店舗内に設置される決済端末装置４の構成を示すブロック図である。
図３に示されるように、決済端末装置４は、データバスＢＵＳにＣＰＵ３１、メモリ３２、決済情報管理サーバ５との間で信号の送受信を行う通信Ｉ／Ｆ３３、携帯電話機３に内蔵されたＩＣタグ２から金銭情報（電子マネー）やユーザＩＤ等の読み取り及び書き込みを行うリーダライタ３４が接続されることにより構成されている。
【００３２】
ここで、ＣＰＵ３１は、メモリ３２に格納されている動作プログラムに従って種々の動作を実行する制御手段であり、当該動作に応じて各回路部を制御する。
また、通信Ｉ／Ｆ（インターフェイス）３３は専用の通信回線によって決済情報管理サーバ５と接続されており、リーダライタ３４によってＩＣタグ２から読み出した情報と今回の商品決済の決済内容とに基づいて、ユーザＩＤ、決済した日付、決済した店舗名、決済した商品名、消費金額、残高を決済情報管理サーバ５に対して送信する。
また、リーダライタ３４はＩＣタグ２から金銭情報及びユーザＩＤを読み出すとともに、今回の商品決済で消費した金額を差し引いた新たな残額に基づいて金銭情報を更新する。
【００３３】
次に、決済情報管理システム１を構成する決済情報管理サーバ５の構成について図４を用いて詳細に説明する。図４はカード会社等の情報管理センタ６内に設置される決済情報管理サーバ５の構成を示すブロック図である。
図４に示されるように、決済情報管理サーバ５は、データバスＢＵＳにＣＰＵ４１、メモリ４２、決済端末装置４や携帯電話機３との間で信号の送受信を行う通信Ｉ／Ｆ４３、ユーザの個人情報及びユーザ毎の商品購入履歴等が累積記憶された情報ＤＢ４４が接続されることにより構成されている。
【００３４】
そして、ＣＰＵ４１は、メモリ４２に格納されているプログラムに従って種々の処理を実行する。また、ＣＰＵ４１は通信Ｉ／Ｆ４３によって接続された専用回線を介して送信される携帯電話機３及び決済端末装置４からの情報を受け取り、これを情報ＤＢ４４に対して格納する。
【００３５】
また、決済情報管理サーバ５は、情報ＤＢ４４に格納された情報の内、特にユーザ毎の商品購入履歴を携帯電話機３及びパーソナルコンピュータ（図示せず、以下ＰＣとする）により閲覧可能に構成している。具体的には、携帯電話機３に予め設定されているメニューをユーザが指定すること、又は携帯電話機３及びＰＣからユーザがＵＲＬを指定することによって決済情報管理サーバ５にアクセスし、更にユーザＩＤやパスワードを入力することによってユーザが特定され、特定されたユーザの当該商品購入履歴に関する情報を閲覧（入手）することが可能となる。
【００３６】
続いて、情報ＤＢ４４に記録され、携帯電話機３を有するユーザに関するユーザ情報と、同じく情報ＤＢ４４に記録されるとともに携帯電話機３やＰＣによって閲覧可能な商品購入履歴とについて図５及び図６を用いて説明する。図５は情報ＤＢの記憶領域に記憶されるユーザ情報を示した模式図、図６は情報ＤＢの記憶領域に記憶される商品購入履歴を示した模式図である。
【００３７】
図５に示すように、情報ＤＢ４４に記録されるユーザ情報は、ユーザを識別する為のユーザＩＤと、当該ユーザＩＤに対応付けられたユーザの氏名、住所、携帯電話番号、携帯電話のメールアドレスとから構成されている。そして、決済端末装置４によって商品決済を行ったユーザＩＤが決済情報管理サーバ５に対して送信されると、ＣＰＵ４１は情報ＤＢ４４を参照することにより、商品決済を行ったユーザ及びユーザの所有する携帯電話機３を特定することが可能となる。尚、情報ＤＢ４４に記録されるユーザ情報は、ユーザが携帯電話機３を購入した際などに情報管理センタ６により登録される。
【００３８】
一方、図６に示すように、情報ＤＢ４４に記録される商品購入履歴は、ユーザを特定する為のユーザＩＤと、決済を行った日付と、決済を行った店名と、決済商品名と、決済による消費金額と、メモ情報とから構成されている。
ここで、特にメモ情報について説明すると、メモ情報は商品決済が行われた後にユーザによって付加させることが可能な付加情報であり、具体的には商品購入履歴に記録された各商品決済に対するユーザのコメント（例えば、商品の購入理由等）を示した文字情報からなる。
【００３９】
また、ユーザＩＤに関してはユーザが決済端末装置４により決済を行った際に携帯電話機３に内蔵されたＩＣタグ２から読み取られた情報に基づいて記録される。また、決済を行った日付、決済を行った店舗名、決済商品名、及び決済による消費金額に関しては、決済端末装置４を用いた決済内容に基づいて記録される。
【００４０】
また、メモ情報に関しては、商品決済が終わった後に携帯電話機３から送信された文字情報に基づいて記録される。ここで、本実施形態に係る携帯電話機３では、後述するように決済端末装置４によって商品決済が行われた後に、決済情報管理サーバ５はユーザＩＤから商品決済が行われた携帯電話機３を特定し、特定した携帯電話機３に対してメモ情報の記入を促すサイトへ移行する為のＵＲＬが表示された電子メールを送信する。そして、ユーザが送信された電子メールに記録されたＵＲＬデータから専用のサイトへと移動し、メモ情報として登録する文字情報を入力操作部２３により作成し、決済情報管理サーバ５に対して送信する。その結果、送信された文字情報が情報ＤＢ４４のメモ情報として記録される（図７参照）。
【００４１】
続いて、前記構成を有する決済情報管理システム１の携帯電話機３、決済端末装置４、及び決済情報管理サーバ５が実行する決済情報処理プログラムについて図７に基づき説明する。ここで、決済情報処理プログラムは、携帯電話機３に内蔵されたＩＣタグ２に基づいて商品の決済を行った際に、その決済内容をユーザごとに記録して管理を行う処理プログラムである。図７は本実施形態に係る決済情報管理システム１の携帯電話機３、決済端末装置４、及び決済情報管理サーバ５が実行する決済情報処理プログラムのフローチャートである。
【００４２】
先ず、図７に基づいて決済端末装置４のＣＰＵ３１が実行する決済情報処理プログラムについて説明する。決済情報処理プログラムにおいて、ＣＰＵ３１は先ずステップ（以下、Ｓとする）１で、商品決済処理を行う。具体的に商品決済処理では、リーダライタ３４によって携帯電話機３に内蔵されたＩＣタグ２から金銭情報とユーザＩＤを読み取り、更に、現在入金（チャージ）されている金額から決済した商品の価格（消費金額）を差し引いた金額を新たに金銭情報として書き込む。
【００４３】
次に、Ｓ２でＣＰＵ３１は、今回の商品決済の決済内容として、決済を行った本日の日付、決済した店舗名、決済した商品名、消費金額、残高に関する情報を送信し、更に決済を行ったユーザを識別するユーザＩＤをそれぞれ通信Ｉ／Ｆ３３を介して決済情報管理サーバ５に対して送信する。
【００４４】
続いて、図７に基づいて決済情報管理サーバ５のＣＰＵ４１が実行する決済情報処理プログラムについて説明する。先ず、決済情報処理プログラムにおいて、ＣＰＵ４１は前記Ｓ２で決済端末装置４から送信された商品決済に係る決済内容とユーザＩＤに関する情報を受信する（Ｓ１０１）。
【００４５】
そして、Ｓ１０２でＣＰＵ４１は、情報ＤＢ４４に記録された商品購入履歴に関して、新たな商品購入履歴を記録する。具体的には、前記Ｓ１０１で受信した今回の商品決済における決済内容とユーザＩＤに基づいて、該当するユーザＩＤに対応付けられた記憶領域に対して、決済を行った日付と、決済を行った店名と、決済商品名と、決済による消費金額とをそれぞれ追加記録する。
例えば、図８（Ａ）に示す商品購入履歴が情報ＤＢ４４内に記録されている場合であって、新たにユーザＩＤ『１２３４５６７』のユーザが２００５年９月２１日に××百貨店で１５０００円の鞄を購入した旨の決済内容が決済端末装置４から送信された場合には、図８（Ｂ）に示すように情報ＤＢが更新される。
【００４６】
その後、Ｓ１０３においてＣＰＵ４１は、前記Ｓ１０１で受信したユーザＩＤと情報ＤＢ４４に記録されたユーザ情報（図５参照）に基づいて、商品決済を行った携帯電話機３（具体的にはメールアドレス）を特定する。
【００４７】
続いて、Ｓ１０４ではＣＰＵ４１は、前記Ｓ１０３で特定した携帯電話機３のメールアドレスに対してＵＲＬデータを記録した電子メールを送信する。この際、電子メールに記録されるＵＲＬデータは、今回の決済における商品購入履歴が表示されるとともにメモ情報が入力可能なメモ情報入力画面６０（図９）を備えた決済情報管理サーバ５のサイトを特定するものである。
【００４８】
更に、Ｓ１０５でＣＰＵ４１は、携帯電話機３から送信されたアクセス要求信号とＩＤデータを受信し、メモリ４２に対して一旦格納する。
その後、ＣＰＵ４１は、アクセス要求信号に基づいて、ＵＲＬデータで特定されるサイトのサイトデータ（例えば、画像データや文字データ等）を情報ＤＢ４４から抽出する（Ｓ１０６）。
【００４９】
その後、ＣＰＵ４１は、メモリ４２に格納されているＩＤデータに基づいて、アクセス要求信号の発信元である携帯電話機３に対し、ＵＲＬデータにより特定されるサイトデータを送信する（Ｓ１０７）。
【００５０】
次に、Ｓ１０８でＣＰＵ４１は、携帯電話機３からサイトデータにおいて入力されたメモ情報を受信する。その後、Ｓ１０９では前記Ｓ１０８で受信したメモ情報を情報ＤＢに格納することにより、商品購入履歴を更新する。例えば、図８（Ｂ）に示す商品購入履歴が情報ＤＢ４４内に記録されている場合であって、前記Ｓ１０２で追加された『２００５年９月２１日に××百貨店で１５０００円の鞄を購入した』旨の決済内容に対して『会社への通勤用』のメモ情報を関連付けて記憶させると、図８（Ｃ）に示すように情報ＤＢが更新される。
【００５１】
続いて、図７に基づいて携帯電話機３のＣＰＵ２１が実行する決済情報処理プログラム（アプリケーションプログラム）について説明する。先ず、決済情報処理プログラムにおいて、ＣＰＵ２１は前記Ｓ１０４で決済情報管理サーバ５から送信された電子メールを受信する（Ｓ２０１）。
【００５２】
その後、Ｓ２０２でＣＰＵ２１は、受信した電子メール中に記載されたＵＲＬデータが選択されることに基づき、ＵＲＬデータの示すサイトに対するアクセス要求信号と、ＩＤデータを決済情報管理サーバ５に対して送信する。
【００５３】
次に、ＣＰＵ２１は前記Ｓ１０７で決済情報管理サーバ５から送信されたサイトデータを受信する（Ｓ２０３）。そして、メモリ２２に対して一旦受信したサイトデータを格納するとともに、格納したサイトデータを読出し、表示部２４にサイトを表示する（Ｓ２０４）。ここで、図９は前記Ｓ２０４で表示部２４に表示されるサイトのメモ情報入力画面６０について示した図である。
【００５４】
図９に示すように、メモ情報入力画面６０には情報ＤＢ４４に記録されたユーザの商品購入履歴の内、特に今回の決済に係る商品購入履歴が表示される。具体的には、上から順に決済した日付６１と、決済した店舗名６２と、決済した商品名６３と、消費金額６４とが表示される。更に、画面の略中央部には、メモ入力欄６５が設けられており、ユーザは入力操作部２３の番号／文字入力キーやカーソルキーを用いて表示されている商品決済に対して記録したいメモ情報の入力を行うことが可能となる（Ｓ２０５）。
また、送信ボタン６６はメモ情報の入力が終わった後に押下することにより、メモ入力欄６５に入力されたメモ情報を決済情報管理サーバ５に対して送信することができる（Ｓ２０６）。尚、今回の決済内容に対してメモ情報を記録させることが不要である場合には、メモ入力欄６５を空欄にして送信ボタン６６を押下することにより、メモ情報が記録されることなく決済情報処理プログラムを終了する。
【００５５】
そして、前記決済情報処理プログラムによってメモ情報が追加され、情報ＤＢ４４に累積記録された商品購入履歴は、携帯電話機３又はＰＣ等で専用のサイトにアクセスし、ユーザＩＤと予め設定した所定のパスワードを入力することによって閲覧可能に構成されている。ここで、図１０は携帯電話機３で専用のサイトにアクセスした際に表示部２４に表示される商品購入履歴画面７０について示した図である。
【００５６】
図１０に示すように、商品購入履歴画面７０は表示画面を上下方向にスクロールさせるスクロールボタン７１、７２と、情報ＤＢ４４に記録された商品購入履歴の内、入力されたユーザＩＤに対応づけられて記録された商品購入履歴（メモ情報含む）が一覧に表示される履歴表示部７３とから構成される。
【００５７】
そして、ユーザはスクロールボタン７１、７２を押下して表示画面を上下方向にスクロールさせることにより、自分が決済した所定期間分（例えば過去一か月分）の決済内容について自ら入力したメモ情報とともに確認することが可能となる。
【００５８】
以上説明した通り本実施形態に係る決済情報管理システム１、決済情報管理サーバ５及び携帯電話機３に格納されたアプリケーションプログラムでは、決済端末装置４によって商品決済を行った（Ｓ１）後に、その決済内容とユーザＩＤを決済情報管理サーバ５に対して送信し（Ｓ２）、一方、決済情報管理サーバ５は商品決済を行った携帯電話機３に対してＵＲＬデータが記録された電子メールを送信した後に（Ｓ１０４）、携帯電話機３からの応答に基づいて今回の商品決済の決済内容が表示されたサイトデータを送信し（Ｓ１０７）、携帯電話機３で入力されたメモ情報を商品購入履歴に対応付けて情報ＤＢ４４に記憶させる（Ｓ１０９）ので、累積記憶された商品購入履歴に対してユーザの意図に基づいた文字情報を追加して記録させることが可能となる。それによって、決済情報管理サーバに記録された記録内容をユーザが有効利用することを可能とし、ユーザの利便性を向上させる。
また、ユーザは決済に使用した携帯端末を操作することによってメモ情報を付加するので、ユーザは商品決済を行った直後に携帯端末を用いて容易に商品購入履歴に対応させたメモ情報の追加が可能となる。そして、メモ情報を追加することによって商品を購入した用途や理由などを随時、情報ＤＢ４４に記録させることが可能となり、商品購入履歴をユーザにとって理解しやすく且つ有益なデータへと更新することが可能となる。
【００５９】
尚、本発明は前記実施例に限定されるものではなく、本発明の要旨を逸脱しない範囲内で種々の改良、変形が可能であることは勿論である。
例えば、本実施形態に係る決済情報管理システム１では、今回決済を行った商品購入履歴に対してのみメモ情報を追加することが可能なように構成されているが、それ以前に決済を行った商品購入履歴に対してもメモ情報が追加できるように構成しても良い。その際には、携帯電話機でサイトの表示（Ｓ２０４）を行った後に、何時決済を行った商品購入履歴に対してメモ情報を追加するのかを選択可能なように構成するのが望ましい。
【００６０】
また、本実施例では商品決済を行った直後に、決済情報管理サーバ５から決済した商品購入履歴に対するメモ情報を入力する為のＵＲＬデータが記録された電子メールが送信される（Ｓ１０４）こととしているが、商品決済を行った直後でなく、所定時刻（例えば、１２：００）に２４時間以内に決済を行った全ての商品購入履歴に対するメモ情報を入力する為のＵＲＬデータが記録された電子メールを送信するようにしても良い。
【００６１】
また、メモ情報入力画面６０を用いて商品購入履歴に対して追加する付加情報としては文字情報のみでなく、画像情報を追加可能なように構成しても良い。
【図面の簡単な説明】
【００６２】
【図１】本実施形態に係る決済情報管理システムの概略構成を示す図である。
【図２】本実施形態に係る携帯電話機の構成を示すブロック図である。
【図３】本実施形態に係る決済端末装置の構成を示すブロック図である。
【図４】本実施形態に係る決済情報管理サーバの構成を示すブロック図である。
【図５】本実施形態に係る情報ＤＢの記憶領域に記憶されるユーザ情報を示した模式図である。
【図６】本実施形態に係る情報ＤＢの記憶領域に記憶される商品購入履歴を示した模式図である。
【図７】本実施形態に係る決済情報管理システムの携帯電話機、決済端末装置、及び決済情報管理サーバが実行する決済情報処理プログラムのフローチャートである。
【図８】情報ＤＢに記録される商品購入履歴の更新手順について示した説明図である。
【図９】ステップＳ２０４で携帯電話機の表示部に表示されるサイトのメモ情報入力画面について示した図である。
【図１０】携帯電話機の表示部に表示される商品購入履歴画面について示した図である。
【符号の説明】
【００６３】
１              決済情報管理システム
２              ＩＣタグ
３              携帯電話機
４              決済端末装置
５              決済情報管理サーバ
６              情報管理センタ
２１            ＣＰＵ
２２            メモリ
２３            入力操作部
２４            表示部
２５            送受信回路部
３０            ＩＣチップ
３１            ＣＰＵ
３２            メモリ
３３            通信Ｉ／Ｆ
４１            ＣＰＵ
４２            メモリ
４３            通信Ｉ／Ｆ
４４            情報ＤＢ
【図１】
2007115186.tif 000003
【図２】
2007115186.tif 000004
【図３】
2007115186.tif 000005
【図４】
2007115186.tif 000006
【図５】
2007115186.tif 000007
【図６】
2007115186.tif 000008
【図７】
2007115186.tif 000009
【図８】
2007115186.tif 000010
【図９】
2007115186.tif 000011
【図１０】
2007115186.tif 000012